(57)【要約】【課題】  複数の無線通信装置でスロットダイバーシチを行う場合に、電波環境を考慮し、スロットダイバーシチが行われていても、新たな端末がセッションを行えるようにする技法（装置および方法）を提供する。【解決手段】  複数の無線通信端末装置と時分割多重方式により無線通信を行う無線通信装置は、複数の無線通信端末装置からのスロットダイバーシチ要求の有無の検出を行い、スロットダイバーシチ要求を行った無線通信端末装置が使用するチャネルの電波状態の測定結果に基づいて、優先順位を定める。そして、空きタイムスロット数が、所定の数以上と判定された場合、優先順位の最上位のものから、空きタイムスロット数が所定の数未満と判定されるまで、空きタイムスロットを割り当てる。【選択図】 図1
2008211798.tif 000002
【特許請求の範囲】
【請求項１】
複数の無線通信端末装置と時分割多重方式により無線通信を行う無線通信装置の通信制御方法であって、
前記無線通信装置と無線通信を行っている前記複数の無線通信端末装置からのスロットダイバーシチ要求の有無の検出を行う検出ステップと、
前記スロットダイバーシチ要求を行った複数の無線通信端末装置が使用するチャネルの電波状態を測定する電波状態測定ステップと、
前記電波状態測定ステップでの測定結果に基づいて、前記スロットダイバーシチ要求を行った複数の無線通信端末装置間の優先順位を定める順位決定ステップと、
現在の空きタイムスロット数が、所定の数以上か否かを判定する判定ステップと、
前記判定ステップにおいて、現在の空きタイムスロット数が前記所定の数以上と判定された場合は、前記スロットダイバーシチ要求を行った複数の無線通信端末装置のうち前記優先順位の最上位のものから現在の空きタイムスロットを割り当てるチャネル割当ステップと、
前記判定ステップにより現在の空きタイムスロット数が前記所定の数未満と判定されるまで前記チャネル割当ステップを繰返し、前記所定の数未満と判定された場合は、前記スロットダイバーシチ要求を行った複数の無線通信端末装置に対し現在の空きタイムスロットの割り当てを行わないステップと、
を含むことを特徴とする無線通信装置の通信制御方法。
【請求項２】
請求項１に記載の無線通信装置の通信制御方法において、
前記優先順位は、前記電波状態測定ステップにより測定された電波状態が悪い無線通信端末装置ほど高くなるように定める、
ことを特徴とする無線通信装置の通信制御方法。
【請求項３】
請求項１に記載の無線通信装置の通信制御方法において、
前記電波状態測定ステップが、スロットダイバーシチ要求を行わない複数の無線通信端末装置が使用するチャネルの電波状態を測定し、
前記順位決定ステップが、前記電波状態測定ステップでの測定結果に基づいて、前記スロットダイバーシチ要求を行わない複数の無線通信端末装置間について別の優先順位を定め、
前記順位決定ステップが、
前記判定ステップにおいて、現在の空きタイムスロット数が前記所定の数未満と判定された場合は、前記別の優先順位に基づいて、前記スロットダイバーシチ要求を行わない複数の無線通信端末装置に対し、現在の空きタイムスロットを割り当てる、
ことを特徴とする無線通信装置の通信制御方法。
【請求項４】
請求項３に記載の無線通信装置の通信制御方法において、
前記順位決定ステップが、前記別の優先順位を、前記電波状態測定ステップにより測定された電波状態が悪い無線通信端末装置ほど高くなるように定める、
ことを特徴とする無線通信装置の通信制御方法。
【請求項５】
複数の無線通信端末装置と時分割多重方式により無線通信を行う無線通信装置であって、
前記無線通信装置と無線通信を行っている前記複数の無線通信端末装置からのスロットダイバーシチ要求の有無の検出を行う検出部と、
前記スロットダイバーシチ要求を行った複数の無線通信端末装置が使用するチャネルの電波状態を測定する電波状態測定部と、
前記電波状態測定ステップでの測定結果に基づいて、前記スロットダイバーシチ要求を行った複数の無線通信端末装置間の優先順位を定め、現在の空きタイムスロット数が、所定の数以上か否かを判定するチャネル管理部と、
前記チャネル管理部により、現在の空きタイムスロット数が前記所定の数以上と判定された場合は、前記スロットダイバーシチ要求を行った複数の無線通信端末装置のうち前記優先順位の最上位のものから空きタイムスロットを割り当てるチャネル割当部と、
を備え、
前記チャネル割当部は、空きタイムスロットが前記所定の数未満と判定されるまで前記割り当てを繰返す、
ことを特徴とする無線通信装置。
【発明の詳細な説明】
【技術分野】
【０００１】
本発明は、スロットダイバーシチにより通信品質を向上させた、時分割多元接続方式（ＴＤＭＡ）にて無線通信を行う無線通信装置、特にチャネルの使用状況、使用チャネルの電波状態（Ｃ／Ｉ比、ＳＩＲ等）に基づきスロットダイバーシチを行うチャネルを決定する、通信制御方法および無線通信装置に関する。
【背景技術】
【０００２】
近年、時分割多元接続方式（ＴＤＭＡ）における無線通信の品質を向上させるために、様々なダイバーシチ技術が提案されており、空間分割多元接続方式（ＳＤＭＡ）がある程度成熟した時期であること等を背景として、スロットダイバーシチ技術が注目されている。スロットダイバーシチ技術は、１つの無線通信装置からの通信チャネルを、各通信フレームにおいて、１つのスロットだけではなく、タイミング及び周波数の異なる複数のスロットに割り当てて同一の内容の情報を送信するものである。
【０００３】
スロットダイバーシチ技術では複数のスロットで同一の情報を送信するため、占有周波数帯域が倍増し、スロットダイバーシチを行わない場合と比較してスロットの利用効率が下がるという欠点がある。しかし、通信エラーへの耐性が向上し、例えばあるスロットで通信エラーが発生した場合でも、他のスロットで送信した同一内容の情報が受信側で正常に受信できる可能性が高くなる。このように、スロットダイバーシチ技術を用いれば、ノイズに強く、遠方の無線通信装置からの弱い電波であっても受信しやすい、すなわち品質のよい通信システムを実現することができる。
【０００４】
しかし、スロットダイバーシチ技術の他の欠点として、スロットダイバーシチを行わない場合と比較して電力消費が大きいことが挙げられる。従って、通信環境が良好な状態でスロットダイバーシチを行うと、電力を無駄に消費することとなる。よって、スロットダイバーシチを実行するか否かを判定する条件を適切に選択することが重要であり、従来技術として、周辺の電波伝搬環境または無線通信装置の電池残量に基づいて、スロットダイバーシチを実行するか否かを決定する技法が提案されている（特許文献１を参照されたい）。
【特許文献１】特開２００５―３３４１７号公報
【発明の開示】
【発明が解決しようとする課題】
【０００５】
しかしながら、特許文献１では、スロットダイバーシチを要求する子機に対して親機がスロットダイバーシチを行うためのスロットを次々と割り当てるため、この技術を無線通信端末（子機）と基地局（親機）との間の通信方式に応用しようとした場合、基地局と無線通信を行っていない端末が新たにセッションの開始を要求しても、全てのスロットがスロットダイバーシチに用いられているために空きタイムスロットがなく、新たな端末のセッション（無線通信）を開始できない可能性がある。
【０００６】
また、電波状態の良いセッションにもかかわらずスロットダイバーシチを行うと、上述したように数に限りのあるスロットが占有され、電波状態が悪く、送信データのロスが生じる可能性が高いセッションによるスロットダイバーシチを行うのに、十分な数のスロットが確保できなくなる。従って、各セッションの電波状況を考慮して、スロットダイバーシチを行うか否かを判定する必要がある。
【０００７】
よって、本発明の目的は、複数の無線通信装置でスロットダイバーシチを行う場合に、電波環境を考慮し、スロットダイバーシチが行われていても、新たな端末がセッションを行えるようにする技法（装置および方法）を提供することである。
【課題を解決するための手段】
【０００８】
上述した諸課題を解決すべく、第１の発明による無線通信装置の通信制御方法は、複数の無線通信端末装置と（スロットダイバーシチを用いた）時分割多重方式により無線通信を行う無線通信装置（基地局）の制御方法であって、前記無線通信装置と無線通信を行っている前記複数の無線通信端末装置からのスロットダイバーシチ要求の有無の検出を行う検出ステップと、前記スロットダイバーシチ要求を行った複数の無線通信端末装置が使用するチャネルの電波状態を測定する電波状態測定ステップと、（所定の数を格納する格納ステップと、）前記電波状態測定ステップでの測定結果に基づいて、前記スロットダイバーシチ要求を行った複数の無線通信端末装置間の優先順位を定める順位決定ステップと、現在の空きタイムスロット数が、所定の数以上か否かを判定する判定ステップと、前記判定ステップにおいて、現在の空きタイムスロット数が前記所定の数以上と判定された場合は、（前記優先順位に基づいて、）前記スロットダイバーシチ要求を行った複数の無線通信端末装置のうち前記優先順位の最上位のものから現在の空きタイムスロットを割り当てるチャネル割当ステップと、（前記チャネル割当部で割り当てられたタイムスロットを用いて、前記無線通信端末装置にデータを送信する送信ステップと、）前記判定ステップにより現在の空きタイムスロット数が前記所定の数未満と判定されるまで前記チャネル割当ステップを繰返し、前記所定の数未満と判定された場合は、前記スロットダイパーシチ要求を行った複数の無線通信端末装置に対し現在の空きタイムスロットの割り当てを行わない（即ち、空きスロットを越える分のスロットダイバーシチ要求は拒否またはウエイトさせる）ステップと、を含むことを特徴とする。
【０００９】
第２の発明による無線通信装置の通信制御方法は、前記優先順位は、前記電波状態測定ステップにて測定された電波状態が悪い無線通信端末装置ほど高くなるように定める、ことを特徴とする。
【００１０】
第３の発明による無線通信装置の通信制御方法は、前記電波状態測定ステップが、スロットダイバーシチ要求を行わない複数の無線通信端末装置が使用するチャネルの電波状態を測定し、前記順位決定ステップが、前記電波状態測定ステップでの測定結果に基づいて、前記スロットダイバーシチ要求を行わない複数の無線通信端末装置間について別の優先順位を定め、前記順位決定ステップが、前記判定ステップにおいて、現在の空きタイムスロット数が前記所定の数未満と判定された場合は、前記別の優先順位に基づいて、前記スロットダイバーシチ要求を行わない複数の無線通信端末装置に対し、現在の空きタイムスロットを割り当てる、ことを特徴とする。
【００１１】
第４の発明による無線通信装置の通信制御方法は、前記順位決定ステップが、前記別の優先順位を、前記電波状態測定ステップにて測定された電波状態が悪い無線通信端末装置ほど高くなるように定める、ことを特徴とする。
【００１２】
上述したように本発明の解決手段を方法として説明してきたが、本発明はこれらの方法を実施するための装置、プログラム、プログラムを記録した記憶媒体としても実現し得るものであり、本発明の範囲にはこれらも包含されるものと理解されたい。
【００１３】
例えば、本発明を装置として実現させた第５の発明による無線通信装置は、複数の無線通信端末装置と（スロットダイバーシチを用いた）時分割多重方式により無線通信を行う無線通信装置（基地局）であって、前記無線通信装置と無線通信を行っている前記複数の無線通信端末装置からのスロットダイバーシチ要求の有無の検出を行う検出部（無線受信部）と、前記スロットダイバーシチ要求を行った複数の無線通信端末装置が使用するチャネルの電波状態を測定する電波状態測定部と、（空きタイムスロットがあるか否かを判定する判定部と、）前記電波状態測定ステップでの測定結果に基づいて、前記スロットダイバーシチ要求を行った複数の無線通信端末装置間の優先順位を定め、現在の空きタイムスロット数が、所定の数以上か否かを判定するチャネル管理部と、前記チャネル管理部により、現在の空きタイムスロット数が前記所定の数以上と判定された場合は、（前記優先順位に基づいて、）前記スロットダイバーシチ要求を行った複数の無線通信端末装置のうち前記優先順位の最上位のものから空きタイムスロットを割り当てる（即ち、所定の数を越える分のスロットダイバーシチ要求は拒否またはウエイトさせる）チャネル割当部と、（前記チャネル割当部で割り当てられたタイムスロットを用いて、前記無線通信端末装置にデータを送信する送信部と、）を備え、前記チャネル割当部は、空きタイムスロットが前記所定の数未満と判定されるまで前記割り当てを繰返す、ことを特徴とする。
【発明の効果】
【００１４】
各無線通信端末の使用するチャネルの電波状態（例えば、Ｃ／Ｉ比（希望波と妨害波との電力比）等）から、複数の無線通信端末（受信相手）からのスロットダイバーシチ要求のうち、どの無線通信端末が最もスロットダイバーシチを必要としているか（即ち、伝搬ロスを生じやすいか否か）を判定して、電波状態の良好な無線通信端末への無駄なスロットダイバーシチの実行を回避するため、スロット利用効率を改善できる。
【発明を実施するための最良の形態】
【００１５】
以降、諸図面を参照しながら、本発明による無線通信装置の実施態様を詳細に説明する。典型例として基地局と移動端末との通信を想定し、無線通信装置としては基地局を例に説明する。
【００１６】
図１は、本発明による無線通信装置の一実施例の構成を示す機能ブロック図である。図に示した無線通信装置１００は、無線部１１０、無線受信部１２０、無線送信部１３０、電波状態測定部１４０、格納部１５０、チャネル管理部１６０、チャネル割当部１７０、及び（アダプティブ）アレイアンテナＡＡＡを備える。無線部１１０は、アレイアンテナＡＡＡを介して、無線通信端末（図示せず）とデータの送受信を行い、アレイアンテナＡＡＡと無線受信部１２０及び無線送信部１３０との送受データのやり取りのために、送受データのデコード／エンコード等の無線処理を行う。電波状態測定部１４０は、無線通信装置１００と無線通信を行う複数の無線通信端末が使用するチャネルの電波状態を測定する。具体的には、各無線通信端末が送信した信号の送信電力、無線通信装置１００が受信した受信電力、および、端末の位置や電波伝搬環境で決まる定数等の諸特性に基づき、各無線通信端末が使用しているチャネルのＣ／Ｉ比（Carrier-to-Interference ratio）を測定する。チャネル管理部１６０は、各チャネルの利用状況（無線通信端末への各チャネルの割り当て状況等）を管理し、電波状態測定部１４０の測定結果に基づき、各無線通信端末に対し、スロットダイバーシチを行うために空きタイムスロットを割り当てる優先順位を定める。また、現在の空きタイムスロット数がスロットダイバーシチの要求を行った無線通信端末装置数未満であるかの判定を行う。チャネル割当部１７０は、チャネル管理部１６０により定められた優先順位に基づいて、無線通信端末を最上位から各チャネルに割り当てる。格納部１５０は、無線通信端末による各チャネルの使用状況、スロットダイバーシチを要求する無線通信端末の情報、および、チャネル管理部１６０により定められた優先順位を、それぞれ、チャネル使用状況テーブルＴＢ１、スロットダイバーシチ要求テーブルＴＢ２、優先順位テーブルＴＢ３としてテープル化して格納する。また、無線通信装置１００は、図示しない演算部（ＣＰＵ、マイクロプロセッサ等）を含み、アレイアンテナＡＡＡに対する重み付けや、電波状態の測定における各種の演算処理を行う。
【００１７】
図２に、本発明による無線通信装置１００が時分割多元接続方式で無線通信を行う場合の、１つのフレーム構成の概略図を示す。図のように、１フレームは、スロット０〜スロット２の３つのタイムスロットで構成される。図３、図４に、チャネル構成の例を示す。図のように、周波数がｆ０〜ｆ７と異なる各フレームが、スロット０〜スロット２の３つのチャネルスロットから構成されている。各チャネルには、Ｃ０〜Ｃ２３の番号を付す。なお両図のチャネル構成は同一のものであるが、これ以降の実施例の説明のため、図における空きスロット（「空き」と示す。）と、スロットダイバーシチを要求している端末が使用しているスロット（「Ａ」「Ｂ」「Ｄ」で示し、網掛けを施している。）が異なる。無線通信装置１００は、図３における例えばＣ３、Ｃ７およびＣ２０のチャネルを用いて、図２のようなフレームを構成し、基地局および相手側無線通信装置と無線通信を行うことができる。
＜第１の実施例＞
本発明の第１の実施例では、スロットダイバーシチを要求する無線通信端末のうち、使用するチャネル電波状況の悪いものに優先的にスロットダイバーシチを行わせる。図５に、第１の実施例のフローチャートを示す。まず、無線受信部１２０は、無線通信端末から受信データがあるか否かを判定する（ステップＳ１１）。受信データがないと判定された場合は、ステップＳ１５へ進み、全ての受信相手（現時点でセッションを行っている無線通信端末または全２４個のチャネル）を確認したか否かを判定し、判定していなければステップＳ１１へ戻り、全ての受信相手を確認していれば次のステップへと進む。ステップＳ１１で、受信相手（無線通信端末）において受信データがあると判定された場合は、受信データがある無線通信端末がスロットダイバーシチを要求しているか否かを判定する（ステップＳ１２）。要求していないと判定された場合はステップＳ１５へ進み、要求していると判定された場合、電波状態測定部１４０は、その無線通信端末が使用しているチャネル（受信チャネル）のＣ／Ｉ比を測定する（ステップＳ１３。その後、その端末（受信相手）がスロットダイバーシチを行っているかの情報を取得する（ステップＳ１４）。
【００１８】
ステップＳ１５で全ての受信相手（無線通信端末）に対して、各受信相手が使用するチャネルの電波状況やスロットダイバーシチの有無に関する情報を取得したと判定されると、格納部１５０のチャネル使用状況テーブルＴＢ１に、各無線通信端末のチャネル使用状況が一例として以下の表１のようなテーブルで格納される。表１は、無線通信装置１００と現在無線通信を行っている無線通信端末がＡ〜Ｅであり、各無線通信端末が使用しているチャネルが、それぞれＣ６，Ｃ１１，Ｃ１９およびＣ１７，Ｃ２，Ｃ１０およびＣ０であり、無線通信端末ＣおよびＥが、スロットダイバーシチを行っていることを示している。
【００１９】
【表１】
2008211798.tif 000003
【００２０】
また、格納部１５０のスロットダイバーシチ要求テーブルＴＢ２には、無線通信装置１００と現在無線通信を行っている無線通信端末のうち、スロットダイバーシチを要求しているものとそのＣ／Ｉ比が、例えば以下の表２のようなテーブルで格納される。ここでは、表内のＣ／Ｉ比が、悪いものから順に「Ｃａ＜Ｃｄ＜Ｃｂ」であるものとする。
【００２１】
【表２】
2008211798.tif 000004
【００２２】
次にステップＳ１６にて、チャネル管理部１６０は、スロットダイバーシチ要求テーブルＴＢ２を参照して、スロットダイバーシチを開始するべき優先順位の高いものから受信相手を順位付けし、優先順位テーブルＴＢ３にテーブル化して格納する。この優先順位テーブルＴＢ３はここでは、例えば以下の表３のようなものとなる。
【００２３】
【表３】
2008211798.tif 000005
【００２４】
その後、ステップＳ１７へ進み、チャネル管理部１６０は、空きタイムスロットが有るか否かを判定する。空きタイムスロットがないと判定された場合は、スロットダイバーシチを行うことが不可能であるため、処理を終了する。空きタイムスロットがあると判定された場合は、チャネル管理部１６０は、空きタイムスロット数が、スロットダイバーシチを要求している無線通信端末の数未満か否かを判定する（ステップＳ１８）。空きタイムスロット数が無線通信端末数以上である場合（例えばここでは、端末数３に対して、空きタイムスロットが５スロットあると想定する。）は、全ての端末でスロットダイバーシチを行うことが可能であるため、チャネル割当部１７０は、全端末に対してスロットダイバーシチを行わせるべくタイムスロット（チャネル）を割り当て、処理を終了する。
例えば、端末数３に対して、空きタイムスロットが２スロットである場合を想定する。この場合、ステップＳ１８にて、空きタイムスロット数が端末数未満であると判定され、チャネル割当部１７０は、表３の優先順位テーブルＴＢ３に基づいて、優先順位が最上位のものに、スロットダイバーシチを行わせるべくチャネルを割り当てる（ステップＳ１９）。ここでは、Ｃ／Ｉ比が最も悪く、伝搬ロスが生じる可能性が高いために優先順位が最上位となっている、無線通信端末Ａに空きスロットが割り当てられる。すると、優先順位テーブルＴＢ３が更新されて、以下の表４のようになる。
【００２５】
【表４】
2008211798.tif 000006
【００２６】
その後、ステップＳ１７に戻り、空きタイムスロットの有無を判定する。無線通信端末Ａを空きタイムスロットの１つに割り当て済みであるため、ここでは、空きタイムスロットが１スロットとなっている。よって、ステップＳ１８の判定後にステップＳ１９へ進みここでは、無線通信端末Ｄに空きタイムスロットが割り当てられ、この時点で空きタイムスロットが０となる。その後ステップＳ２０では、スロットダイバーシチ用のチャネルを割り当てられていない無線通信端末Ｂが存在するため、再度ステップＳ１７へ移る。ステップＳ１７では、空きタイムスロットがないため、処理を終了する。スロットダイバーシチ用のチャネルを割り当てられていない無線通信端末Ｂの情報は、格納部１５０の各テーブルに格納されている。すなわち、空きスロットを越える分のスロットダイバーシチ要求は拒否またはウエイトの状態となる。
【００２７】
このように複数の無線通信端末からのスロットダイバーシチ要求のうち、最もスロットダイバーシチの実行を必要とするもの（電波伝搬状況が悪く、伝搬ロスが発生する可能性が高いチャネルを使用しているもの）をＣ／Ｉ比に基づいて判定することができるため、伝搬伝搬状況の良い端末に無駄にスロットを提供することなく、スロットを有効に利用することができる。
＜第２の実施例＞
本発明の無線通信端末による第２の実施例では、複数のチャネル（スロット）のうち、スロットダイバーシチを行うスロットに闘値を設定して、数に限りのあるスロットがスロットダイバーシチの実行に占有されていて使用できないために、現時点で無線通信装置１００と無線通信を行っている端末とは別の新たな端末がウエイトすることのないように、空きタイムスロットを予め確保しておく。図６に、第２の実施例のフローチャートを示す。また、図３および図４の、各チャネルへの割り当てを示す図を用いて、本実施例をこれ以降に説明する。なお、図６のフロー処理の開始前に予め闘値を定め、格納部１５０に格納してあるものとし、さらに、ここでは闘値を４、空きタイムスロットの数を図３のように５スロット（Ｃ１，Ｃ５，Ｃ１３，Ｃ２０およびＣ２１）とする。現時点では図３のように、無線通信端末Ａ，ＢおよびＤが、それぞれチャネルＣ６，Ｃ１１およびＣ１９を用いて、無線通信装置１００と無線通信を行っている。
【００２８】
ステップＳ２１〜Ｓ２６までの処理は、図５の第１の実施例と同様であるため、説明を省略する。ステップＳ２６が終了した時点で、優先順位テーブルＴＢ３には、例えば表３のテーブルが格納されているとする。ステップＳ２７にて、空きタイムスロット数が闘値を上回っているか否かを判定する。ここでは、空きタイムスロット５スロットに対して、闘値が４なので、ステップＳ２８に進み、チャネル割当部１７０は、優先順位が最上位である無線通信端末Ａに、空きタイムスロット（ここでは、チャネルＣ１３）を割り当てる。このときのチャネルの割り当て状況は図４のようになり、空きタイムスロット数は５スロットから４スロットに、優先順位テーブルＴＢ３は、表４のようになる。
【００２９】
ステップＳ２９の判定では、無線通信端末Ｂ，Ｄにスロットダイバーシチ用のチャネルが割り当てられていないため、ステップＳ２７へ進む。この場合は、空きタイムスロットの４スロットに対し、闘値も４であるため、処理を終了する。ここで、スロットダイバーシチ用にチャネルを割り当てられていない無線通信端末Ｂ，Ｄの情報は、格納部１５０の各テーブルに格納されている。すなわち、空きスロットを越える分のスロットダイバーシチ要求は拒否またはウエイトの状態となり、空きタイムスロットとして残っている４スロットが、無線通信端末Ａ〜Ｅ以外の新たな端末がセッションの開始を要求してきた場合に、その新たな端末で使用するべく即時に提供される。
【００３０】
このように、現時点でのチャネルの割り当て状況（使用状況）から、空きチャネルがある闘値以下となる場合には、その時点で行っているもの以上のスロットダイバーシチを行わないようにして、スロットダイバーシチによりリソースが逼迫されることを回避するため、新規の端末からのセッション開始要求に提供するための空きチャネルを、常に確保することができる。従って、各無線通信端末に対して平等にリソースを提供することができる。
＜第３の実施例＞
本発明の第３の実施例では、優先順位を付けるべき無線通信端末（無線通信装置１００ と無線通信を行っている端末、または、無線通信を行うべくセッションの開始を要求する端末）全てに対してスロットダイバーシチ要求の有無を判定するのではなく、所定の時間を予め設定しておき、処理を開始してから所定の時間内に、無線通信装置１００と無線通信を行った無線通信端末のみに対し、第２の実施例のステップＳ２７〜Ｓ２９と同様の処理により空きタイムスロットを割り当てる。図７に、第３の実施例のフローチャートを示す。まず、予め所定の時間を定めて、格納部１５０に格納してあるものとする。この所定の時間としては、ステップＳ３１にてある無線通信端末の受信データの有無を判定してから、その無線通信端末にスロットダイバーシチを行わせるか否かを決定するまでの時間（ステップＳ３１〜Ｓ３５を繰返す時間）が長くならないように（例えば、１分以内に）設定することが好適である。
【００３１】
なお上述の説明では、電波状態を推定するのにＣ／Ｉ比の測定に基づいているが、本発明はこれに限られるものではなく、ＲＳＳＩ（Received Signal Strength Indicator)や、ＲＡＫＥ受信部をさらに備えて、ＳＩＲ（signal-to-Interference Power Ratio）を測定してもよい。また、無線通信装置１００は、スロットダイバーシチ要求が拒否またはウエイトされる無線通信端末には、スロットダイバーシチを行えない旨を各無線通信端末へと通知することが好適である。
【００３２】
本発明の効果を再度記述する。本発明によれば、複数の無線通信端末からのスロットダイバーシチ要求の中で、最もスロットダイバーシチを必要とするもの（すなわち、使用しているチャネルの電波伝搬環境が悪く、伝搬ロスを生じる可能性が高いもの）を判定することができるため、電波伝搬環境のよいチャネルにスロットダイバーシチを行って無線リソースを逼迫することなく、効率の良いスロットの利用が可能となる。
【００３３】
また、チャネルの使用状況（割当て状況）から、空きチャネル（タイムスロット）がある闘値以下となる場合は、要求があってもそれ以上のスロットダイバーシチを行わずに、スロットダイバーシチにより無線リソースが逼迫されることを回避して、新たな無線通信端末からのセッション開始要求に対し、即時にチャネルを割り当てることが可能となる。
【００３４】
本発明を諸図面や実施例に基づき説明してきたが、当業者であれば本開示に基づき種々 の変形や修正を行うことが容易であることに注意されたい。従って、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００３５】
【図１】本発明による無線通信装置のブロック図である。
【図２】送受信に使用するフレーム構成を示す概略図である。
【図３】本発明による時分割多元接続方式で通信を行う場合のチャネル構成の例を示す図である。
【図４】本発明による時分割多元接続方式で通信を行う場合のチャネル構成の例を示す図である。
【図５】第１の実施例によるスロットダイバーシチ制御の処理を説明するフローチャートである。
【図６】第２の実施例によるスロットダイバーシチ制御の処理を説明するフローチャートである。第２の実施例によるスロット制御処理を説明するフローチャートである。
【図７】第３の実施例によるスロットダイバーシチ制御の処理を説明するフローチャートである。
【符号の説明】
【００３６】
１００  無線通信装置
１１０  無線部
１２０  無線受信部
１３０  無線送信部
１４０  電波状態測定部
１５０  格納部
１６０  チャネル管理部
１７０  チャネル割当部
ＡＡＡ  アダプティブアレイアンテナ
Ｃ０〜Ｃ２３  チャネル番号
ＴＢ１  チャネル使用状況テーブル
ＴＢ２  スロットダイバーシチ要求テーブル
ＴＢ３  優先順位テーブル
【図１】
2008211798.tif 000007
【図２】
2008211798.tif 000008
【図３】
2008211798.tif 000009
【図４】
2008211798.tif 000010
【図５】
2008211798.tif 000011
【図６】
2008211798.tif 000012
【図７】
2008211798.tif 000013